(57)【要約】      （修正有）【課題】連接台劣化の問題を心配する必要がなく、電源配線を流れる電圧と電流が小さいため、消費電力が少なく、また発光ダイオードの使用寿命は蛍光灯よりも長いため、材料コストと交換の不便を低下させることができる発光ダイオードランプを提供する。【解決手段】発光ダイオードランプは、少なくとも１個のランプ台構成部品１０２、少なくとも１個の発光ダイオード光源部品１０４、少なくとも１個のドライバー１０６を備え、発光ダイオード光源部品１０４は長方体状を呈し、しかもランプ台構成部品１０２の外側面１０５に直接封入して、固定し結合し、ドライバー１０６は、発光ダイオード光源部品１０４に接続し、発光ダイオード光源部品１０４を駆動して点灯させ、発光ダイオード光源部品１０４は、光線を発する。【選択図】図２
0003160071.tif 000002
【実用新案登録請求の範囲】
【請求項１】
少なくとも１個のランプ台構成部品、少なくとも１個の発光ダイオード光源部品、少なくとも１個のドライバーを備え、
前記発光ダイオード光源部品は、前記ランプ台構成部品の外側面に直接封入して、固定、結合し、
前記ドライバーは、前記発光ダイオード光源部品に接続し、前記発光ダイオード光源部品を駆動して点灯させ、前記発光ダイオード光源部品は、光線を発することを特徴とする発光ダイオードランプ。
【請求項２】
前記ランプ台構成部品は、金属材料であることを特徴とする請求項１に記載の発光ダイオードランプ。
【請求項３】
前記ランプ台構成部品は、セラミック材料であることを特徴とする請求項１に記載の発光ダイオードランプ。
【請求項４】
前記ランプ台構成部品は、散熱アルミ材であることを特徴とする請求項１に記載の発光ダイオードランプ。
【請求項５】
前記ランプ台構成部品の両端開口は、それぞれ側蓋により密封することを特徴とする請求項１に記載の発光ダイオードランプ。
【請求項６】
前記各側蓋には、少なくとも１個の外付け電源コンセントを設置することを特徴とする請求項５に記載の発光ダイオードランプ。
【請求項７】
前記側蓋の各外付け電源コンセントの間は、連接線により直接接続して連結することを特徴とする請求項６に記載の発光ダイオードランプ。
【請求項８】
前記側蓋の各外付け電源コンセントは、防塵蓋により密封することを特徴とする請求項６に記載の発光ダイオードランプ。
【請求項９】
前記ランプ台構成部品の頂点部には、少なくとも１個の光透過シェードを結合することを特徴とする請求項１に記載の発光ダイオードランプ。
【請求項１０】
前記発光ダイオード光源部品は、長方体状を呈することを特徴とする請求項１に記載の発光ダイオードランプ。
【請求項１１】
前記発光ダイオード光源部品は、１個の多結晶発光ダイオードモジュールであることを特徴とする請求項１に記載の発光ダイオードランプ。
【請求項１２】
前記ランプ台構成部品は、外側面を備え、前記発光ダイオード光源部品は、前記外側面に封入して、固定し結合することを特徴とする請求項１に記載の発光ダイオードランプ。
【請求項１３】
前記ランプ台構成部品は、内側面を備え、前記ドライバーは、前記内側面に固定することを特徴とする請求項１に記載の発光ダイオードランプ。
【考案の詳細な説明】
【技術分野】
【０００１】
本考案はランプに関し、特に外表面に発光ダイオードを直接封入し光源とする発光ダイオードランプに関する。
【背景技術】
【０００２】
蛍光灯ランプは広く一般に普及し使用されているが、改善すべき点がなお多く存在する。
例えば、長期間の使用後には、高温の影響を受け、蛍光灯管の連接台は脆くなり、しかも数回交換することで、灯管連接台は非常に損壊し易い。
また電源の面では、１組の蛍光灯管は１個のパワーサプライを必要とするため、多数組の蛍光灯管を直列接続すると、電圧負荷の過大を引き起こし、非常に危険である。
さらに、コスト面では、蛍光灯管ランプが使用する電線は太く、蛍光灯管の使用寿命は短いため、相対的に製造コストを高めてしまっている。
本考案は、従来の蛍光灯ランプの上記した欠点に鑑み、省エネを達成し、コストを低下させることができるランプを提供するものである。
【考案の概要】
【考案が解決しようとする課題】
【０００３】
本考案が解決しようとする課題は、ランプ台構成部品の外表面に発光ダイオードを直接封入し光源とし、連接台が不要であるため、連接台劣化の問題を心配する必要がなく、電源配線を流れる電圧と電流が小さいため、電力使用の危険性が低く、消費電力が少なく、また発光ダイオードの使用寿命は蛍光灯よりも長いため、材料コストと交換の不便を低下させることができる発光ダイオードランプを提供することである。
【課題を解決するための手段】
【０００４】
上記課題を解決するため、本考案は下記の発光ダイオードランプを提供する。
発光ダイオードランプ発光は、少なくとも１個のランプ台構成部品、少なくとも１個の発光ダイオード光源部品、少なくとも１個のドライバーを備え、
該発光ダイオード光源部品は長方体状を呈し、しかも該ランプ台構成部品の外側面に直接封入して、固定し結合し、
該ドライバーは、該発光ダイオード光源部品に接続し、該発光ダイオード光源部品を駆動して点灯させ、該発光ダイオード光源部品は、光線を発する。
【考案の効果】
【０００５】
本考案発光ダイオードランプは、発光ダイオード光源部品を直接封入する特性を通して電力使用の安全性を高め、電力消費を減らし、製品の使用寿命を向上させ、製造コストを低下させることができる。
【図面の簡単な説明】
【０００６】
【図１】本考案発光ダイオードランプ第一実施例の立体外観構造図である。
【図２】本考案発光ダイオードランプ第一実施例の立体分解構造図である。
【図３】図２中A部分の局部拡大図である。
【考案を実施するための形態】
【０００７】
以下に図面を参照しながら本考案を実施するための最良の形態について詳細に説明する。
【０００８】
本考案発光ダイオードランプ第一実施例の立体外観構造図である図１、本考案発光ダイオードランプ第一実施例の立体分解構造図である図２、図２中A部分の局部拡大図である図３に示すように、本考案発光ダイオードランプ１００は、天井或いは壁面上に応用するランプに設置する。
発光ダイオードランプ１００は、少なくとも１個のランプ台構成部品１０２、少なくとも１個の発光ダイオード光源部品１０４、少なくとも１個のドライバー１０６を備える。
ランプ台構成部品１０２は、金属材料或いはセラミック材料により構成し、本考案中では散熱アルミ材を例とする。
ランプ台構成部品１０２は、外側面１０５と内側面１１０を備える。
【０００９】
図に示す発光ダイオード光源部品１０４は、長方体状を呈するが、その型式に制限はない。
本考案中では、１個の多結晶発光ダイオードモジュールを例とする。
発光ダイオード光源部品１０４は、その封入プロセス時に、ランプ台構成部品１０２の外側面１０５に直接封入して、固定し結合する。
これにより、発光ダイオード光源部品１０４とランプ台構成部品１０２とは結合し、一体の構造を形成する。
こうして、ランプ台構成部品１０２は、発光ダイオード光源部品１０４の散熱構造となる。
【００１０】
ドライバー１０６は、ランプ台構成部品１０２の内側面１１０に固定する。
しかも、ドライバー１０６は、少なくとも１個の電源出力端１０７、１０８を備える。
電源出力端１０７、１０８は、発光ダイオード光源部品１０４に直接接続する。
これにより、ドライバー１０６は発光ダイオード光源部品１０４を駆動して点灯させ、発光ダイオード光源部品１０４は、光線を発する。
発光ダイオード光源部品１０４は、ランプ台構成部品１０２の頂点部に結合し、少なくとも１個の光透過シェード１４０により覆われる。
こうして、光透過シェード１４０を通して光源の配光曲線を調整し、粉塵の進入を防ぐことができる。
【００１１】
ランプ台構成部品１０２の両端開口１０２A、１０２Bは、それぞれ側蓋１２０により密封する。
側蓋１０２には、少なくとも１個の外付け電源コンセント１２１を設置する。
しかも、ドライバー１０６の電源入力端と外付け電源コンセント１２１とは相互に接続し、外付け電源コンセント１２１を通して、市内電力或いは他の並列接続電源に接続することができる。
例えば、少なくとも１本の連接線１５０を通して、交流市内電力に直接連結し、或いは数本の連接線１５０を通して多数の発光ダイオードランプ１００の間の各外付け電源コンセント１２１に直列接続することができ、これにより、ドライバー１０６が必要とする交流電源を取得する。
外付け電源コンセント１２１を使用しない時には、防塵蓋１３０により密封する。
【００１２】
上記したように、本考案発光ダイオードランプ１００は、以下の効果を備える。
1.ランプ台構成部品１０２と発光ダイオード光源部品１０４とは一体成型であるため、製造工程を簡略化することができ、しかも連接台がないため、連接台劣化の問題を心配する必要がない。
2.発光ダイオード光源部品１０４とランプ台構成部品１０２とは、封入して一体に結合するため、ランプ台構成部品１０２は、発光ダイオード光源部品１０４に直接散熱作用を提供することができる。これにより、散熱機構を別に設計する必要がなくなり、余分な散熱材料の使用も不要となるため、散熱構造を生産するためのコストと材料を削減することができる。
3.電源配線を流れる電圧と電流が小さいため、電力使用における危険性が低く、従来の蛍光灯管に比べ拡充性が高い。
4.発光ダイオード光源部品１０４の体積は、蛍光灯管に比べ小さく、しかも使用寿命は長く、損壊率は低い。
5.発光ダイオード光源部品１０４の力率は、蛍光灯管に比べ高く、消費電力は蛍光灯管に比べ小さい。
6.従来の蛍光灯管では、灯管と安定器をしばしば交換する必要があるが、本考案の発光ダイオードランプ１００には、灯管も安定器もないため、上記したような灯管及び安定器交換の問題とは無縁である。
7.発光ダイオード光源部品１０４の単価は、従来の蛍光灯管より高いが、本考案発光ダイオードランプ１００により節減可能な年間電力使用量とメンテナンス費用を計算すると、トータルでは従来の蛍光灯管及びランプよりコストが低くなるため、省エネニーズに合致している。
【００１３】
上記の本考案名称と内容は、本考案技術内容の説明に用いたのみで、本考案を限定するものではない。本考案の実施例は、単一或いは異なる方式により実施することができる。本考案の精神に基づく等価応用或いは部品（構造）の転換、置換、数量の増減はすべて、本考案の保護範囲に含むものとする。
【産業上の利用可能性】
【００１４】
本考案は実用新案の要件である新規性を備え、従来の同類製品に比べ十分な進歩を有し、実用性が高く、社会のニーズに合致しており、産業上の利用価値は非常に大きい。
【符号の説明】
【００１５】
１００  発光ダイオードランプ
１０２  ランプ台構成部品
１０２A  開口
１０２B  開口
１０４  発光ダイオード光源部品
１０５  外側面
１０６  ドライバー
１０７、１０８  電源出力端
１１０  内側面
１２０  側蓋
１２１  外付け電源コンセント
１３０  防塵蓋
１４０  光透過シェード
１５０  連接線
【図１】
0003160071.tif 000003
【図２】
0003160071.tif 000004
【図３】
0003160071.tif 000005